(57)【要約】【課題】  調理室の扉の開閉を滑らかに行うことが可能な加熱調理器を提供する。【解決手段】  食品を収納し加熱する調理室５と、調理室５の前面開口を開閉する扉と、前記扉と係合し、食品からの飛散物を受ける受け皿９と、調理室５の底面１７に調理室５内方向に突出させ、頂上部１８ａで調理室５に収納した受け皿９を支持すると共に、受け皿９を調理室５から取り出す際に前記頂上部１８ａを摺動させることができる支持突起部１８とを備え、支持突起部１８の頂上部１８ａは、断面略半円形状に形成されて成る。【選択図】        図４
2005337651.tif 000002
【特許請求の範囲】
【請求項１】
食品を収納し加熱する調理室と、
前記調理室の前面開口を開閉する扉と、
前記扉と係合し、前記食品からの飛散物を受ける受け皿と、
前記調理室の底面に調理室内方向に突出させ、頂上部で前記調理室に収納した前記受け皿を支持すると共に、前記受け皿を前記調理室から取り出す際に前記頂上部を摺動させることができる支持突起部とを備え、
前記支持突起部の頂上部は、断面略半円形状に形成されて成ることを特徴とする加熱調理器。
【請求項２】
前記受け皿は、前記調理室底面に形成された支持突起部により受け皿の底面が支持されると共に、前記処理室の両側面に形成された上支持部により受け皿の両側上部が支持されることを特徴とする請求項１に記載の加熱調理器。
【発明の詳細な説明】
【技術分野】
【０００１】
本願発明は、ロースターを有する加熱調理器に係わり、特にその調理室内に出し入れ自在に収納されて食品からの飛散物を受ける受け皿の摺動性の改良に関するものである。
【背景技術】
【０００２】
一般に、魚焼き専用の小型フィッシュロースターや、ガスレンジ、電気レンジなどに内蔵されるロースター（グリル）では、調理室の扉に取り付けられる受け皿を、調理室内の支持部（レール）で滑らせることにより、扉の開閉を行うようになっている（例えば、特許文献１参照）。
【０００３】
この扉の開閉の滑らかさは、支持部（レール）と受け皿の接触具合によって決まってくるが、特に近年注目されている電磁誘導加熱方式のＩＨクッキングヒーターにおいては、ガスレンジに比べて高価であるが故に、今まで以上に滑らかな扉の開閉が求められている。
【０００４】
図５は、従来のロースター調理室内の構成を具体的に説明するために例示した図で、（ａ）はロースター上面図、（ｂ）は正面断面図（受け皿挿入状態）、（ｃ）は（ｂ）の円内拡大図である。調理室１００を形成するロースター本体１０１の底面１０２には、処理室１００内方向に突出し前後方向に伸びる左右一対の下支持突起部１０３が形成され、両側面１０４には前後方向にわたって処理室１００内方向に突出する突出面１０５の下縁に上支持部１０６が形成されている。上記下支持突起部１０３は図５（ｃ）に拡大図示したように断面台形状に形成され、その頂上部１０３ａの平面で調理室１００内に収納した受け皿１０７の底面を支持し、この状態で、受け皿１０７の両側上部１０８と上支持部１０６との間に一定のクリアランスを有するように構成されている。
【特許文献１】特開平７−３１５５０号公報（図１）
【発明の開示】
【発明が解決しようとする課題】
【０００５】
ところで、大半のロースターでは、調理後の清掃性を考え、調理室内と受け皿がホーロー加工されているが、互いにホーロー加工された部品は、滑りの相性が余り良くない。そのため、受け皿をロースター調理室から滑らかに出し入れするためには、受け皿が上支持部と下支持突起部間で適切なクリアランスが保たれている必要がある。
【０００６】
しかし、ホーロー加工時に適切な処理が施されなかった場合、場所によりホーローの溜まりが発生したり、逆に欠けや透けが生じ、ホーローの膜厚が不均一になる。
【０００７】
この点を考慮し、設計上、クリアランスに余裕を持たせ過ぎると、受け皿の出し入れ時、上下左右のガタツキが発生し、かえって滑らかな扉の開閉ができなくなるばかりか、扉が上下左右にずれて本体ロースター部に収まることになり、見栄えが悪くなってしまう。
【０００８】
すなわち、図５の従来例では、下支持突起部１０３の断面形状が台形状で頂上部１０３ａが平面となっいるので、受け皿１０７底面との接触部は面接触となる。ホーロー加工処理が均一に行われておれば、受け皿１０７との接触は安定するが、ホーロー加工時、適切な処理が成されなかった場合、頂上部１０３ａの平面の上にホーロー溜まりが発生する可能性がある。この下支持突起部１０３の頂上部１０３ａ平面に溜まった余分なホーロー厚により、受け皿１０７は上へ押し上げられ、上支持部１０６とのクリアランスは小さくなり、受け皿１０７を滑らかに出し入れすることができなくなる。従って、受け皿１０７が取り付けられた扉の開閉も滑らかに行うことができなくなる。
【０００９】
そこで、本願発明はこのような課題を解決するためになされたものであり、調理室の扉の開閉を滑らかに行うことが可能な加熱調理器を提供することを目的とするものである。
【課題を解決するための手段】
【００１０】
上記のような目的を達成するために、本願発明は、食品を収納し加熱する調理室と、前記調理室の前面開口を開閉する扉と、前記扉と係合し、前記食品からの飛散物を受ける受け皿と、前記調理室の底面に調理室内方向に突出させ、頂上部で前記調理室に収納した前記受け皿を支持すると共に、前記受け皿を前記調理室から取り出す際に前記頂上部を摺動させることができる支持突起部とを備え、前記支持突起部の頂上部は、断面略半円形状に形成されて成ることを特徴とするものである。
【００１１】
また、前記受け皿は、前記調理室底面に形成された支持突起部により受け皿の底面が支持されると共に、前記処理室の両側面に形成された上支持部により受け皿の両側上部が支持されることを特徴とするものである。
【発明の効果】
【００１２】
本願発明によれば、支持突起部の頂上部を断面略半円形状に形成することで、受け皿との接触面積を減らし、一般に互いにホーロー加工されるホーロー加工部品同士による接触抵抗を減少させることにより、受け皿を滑らかに出し入れすることができる。従って、受け皿が取り付けられた扉の開閉も滑らかに行うことができる。
【００１３】
また、処理室の両側面に形成された上支持部により受け皿の両側上部が支持されるものであっても、受け皿の底面と接触する支持突起部の頂上部が断面略半円形状で平面ではなくなるので、その部分に余分なホーローは溜まらずに流れて行くため、ホーロー溜まりによるクリアランスのバラツキを抑えることが可能となる。従って、上支持部を有するものでも、受け皿を滑らかに出し入れすることができ、受け皿が取り付けられた扉の開閉も滑らかに行うことができる。
【発明を実施するための最良の形態】
【００１４】
以下、本願発明の実施形態を図面を参照して詳細に説明する。
【００１５】
図１は、本願発明が適用される加熱調理器の一例として据置型のグリル付き誘導加熱（ＩＨ）調理器を示す斜視図、図２はその設置状態の全体斜視図と受け皿及びロースター本体の斜視図、図３は受け皿の各状態を示すロースター本体側断面図である。
【００１６】
図１において、この誘導加熱調理器の本体１は図２（ａ）に示すように台所のコンロ置台Ａ上に設置可能で、その上面には、耐熱性を有するセラミック製のトッププレート（天板）２が設けられており、トッププレート２上面には調理鍋を載置して加熱できる誘導加熱部３ａ，３ｂが表示されている。
【００１７】
トッププレート２の下には、各誘導加熱部３ａ，３ｂに対応して加熱コイル（図示せず）が配置され、誘導加熱部３ａ，３ｂ上に誘導加熱可能な調理鍋を載置して加熱コイルに通電すると、調理鍋が誘導加熱されるようになっている。
【００１８】
各加熱コイルの略中央位置には、トッププレート２を介して調理鍋の温度を検知するための温度検知手段としてのサーミスタ（図示せず）が配置されている。
【００１９】
本体１の前面側中央部には、魚や肉などの食品を収納して加熱するための金属製のロースター部４が設けられており、ロースター部４内の調理室５には図示しないグリルヒータ（平面ヒータやシーズヒータ）が内装されている。
【００２０】
調理室５の前板６に形成される前面開口７は、魚や肉などの食品を載せる網棚８がセットされて調理室５内に装着される受け皿９と着脱可能に取り付けられた扉１０によってスライド式に開閉される。上記扉１０の前面側下部には取手１０ａが設けられている。このロースター部４の調理室５からの排気は、トッププレート２の後部に形成された排気孔１１から排出されるようになっている。なお、上記網棚８は、調理室５内のグリルヒータが上下に配置されたものでは、食品載置面が上下のヒータ間に位置するように側面視略コ字状に形成される。
【００２１】
上記ロースター部４の両側には、各誘導加熱部３ａ，３ｂの出力設定部やタイマー運転を行うためのタイマー設定部や電源スイッチ等が設けられた操作部１２が設けられている。
【００２２】
図２（ｂ）に示すように、受け皿９の前面側には、前記扉１０と着脱可能に係合するための金属製の係合部材１３が溶接によって一体的に固定され、底面側後方には左右一対の下方に突出するストッパー１４が形成されている。一方、この受け皿９が出し入れ可能に収納される調理室５を形成するロースター本体１５の底面側前方には、上記受け皿９側のストッパー１４に対応して、左右一対の上方（調理室５内方向）に突出するストッパー１６が形成されている。
【００２３】
また、上記ロースター本体１５の底面１７には、処理室４内方向に突出し前後方向に伸びる左右一対の下支持突起部１８が形成され、その頂上部１８ａで調理室５に収納した受け皿９を支持すると共に、受け皿９を調理室５から出し入れする際に頂上部１８ａを摺動させることができるようになっている。さらに、ロースター本体１５の両側面１９には前後方向にわたって処理室４内方向に突出する突出面２０の下縁に上支持部２１が形成されている。
【００２４】
受け皿９は、上記のようにロースター本体１５内側に形成された下支持突起部１８と上支持部２１に接触しながら出し入れされる。図３に従い、その状態の詳細を述べる。なお、図３では受け皿９と係合される扉１０及び係合部材１３は省略している。図３（ａ）に示すように受け皿９がロースター本体１５内に収まった状態から、図３（ｂ）に示すように水平に引き出されるに従い、先端が自重で下がり、受け皿９の両サイド上部２２が上支持部２１と接触し始め、底面側は下支持突起部１８の頂上部１８ａを滑りながら、図３（ｃ）に示すように両者のストッパー１４，１６が互いにぶつかるまで引き出される。
【００２５】
上記のように引き出された受け皿９は、図３（ｃ）のストッパー１４，１６の当接位置で止まった後、受け皿９の手前側を斜め上に引き上げることで、ストッパー１４，１６の当接状態を解除し、調理室５を形成するロースター本体１５から取り出すことができる。また、ロースター本体１５内に収納するときは上記と逆の手順で収納することができる。
【００２６】
図４は、上記ロースター調理室５内の構成を具体的に説明するための図で、（ａ）はロースター上面図、（ｂ）は正面断面図（受け皿挿入状態）、（ｃ）は（ｂ）の円内拡大図である。
【００２７】
上述したように、ロースター本体１５の底面１７には、処理室４内方向に突出し前後方向に伸びる左右一対の下支持突起部１８が形成され、その頂上部１８ａで調理室５に収納した受け皿９を支持すると共に、受け皿９を調理室５から出し入れする際に頂上部１８ａを摺動させることができるようになっている。さらに、ロースター本体１５の両側面１９には前後方向にわたって処理室４内方向に突出する突出面２０の下縁に上支持部２１が形成されている。そして、本実施形態では、図４（ｃ）に拡大図示するように、下支持突起部１８の頂上部１８ａを断面略半円形状に形成している。
【００２８】
すなわち、下支持突起部１８の頂上部１８ａを断面略半円形状にすることで、受け皿９との接触部を前記図５に示した従来例の面から線に変更し、ホーロー加工部品同士による接触抵抗を減少させたものである。
【００２９】
また、接触部が平面ではないので、余分なホーローはこの接触部から流れてゆくため、ホーローの溜まりは発生しなくなる。よって、受け皿９の両側上部２２と上支持部２１とのクリアランスが一定に保たれ、受け皿９は滑らかに出し入れされる。
【００３０】
以上のように、上記実施形態によれば、受け皿９と下支持突起部１８との接触抵抗が小さくなるので、受け皿９が取り付けられた扉１０の開閉も滑らかに行うことができる。
【００３１】
また、受け皿９と上支持部２１間に適切なクリアランスが保たれるので、本実施形態のように上支持部２１を有するものでも、扉１０の開閉が滑らかになる。
【００３２】
また、ホーロー加工時のホーロー溜まりが改善され、ロースター本体１５の歩留まり向上につながる。
【００３３】
なお、本願発明は、ガスレンジ等に比べて高価で、扉１０の開閉にも価格に似合った滑らかさが求められる上述したようなグリル付き誘導加熱調理器（ＩＨクッキングヒーター）に適用して特に好適であるが、ロースター（グリル）を有し、扉と係合して調理室に出し入れされる受け皿を備えたものであれば、各種の加熱調理器に適用可能である。
【図面の簡単な説明】
【００３４】
【図１】本願発明が適用される加熱調理器の一例として据置型のグリル付き誘導加熱調理器を示す斜視図。
【図２】その設置状態の全体斜視図と受け皿及びロースター本体の斜視図。
【図３】受け皿の各状態を示すロースター本体側断面図。
【図４】上記ロースター調理室内の構成を具体的に説明するための図。
【図５】従来のロースター調理室内の構成を具体的に説明するために例示した図。
【符号の説明】
【００３５】
１  本体
２  トッププレート
３ａ，３ｂ  誘導加熱部
４  ロースター部
５  調理室
６  前板
７  前面開口
８  網棚
９  受け皿
１０  扉
１０ａ  取手
１１  排気孔
１２  操作部
１３  係合部材
１４，１６  ストッパー
１５  ロースター本体
１８  下支持突起部
１８ａ  頂上部
２０  突出面
２１  上支持部
【図１】
2005337651.tif 000003
【図２】
2005337651.tif 000004
【図３】
2005337651.tif 000005
【図４】
2005337651.tif 000006
【図５】
2005337651.tif 000007